(57)【要約】【目的】機器の大型か、コストアップ、カードの種類の誤装着等を防ぐことができる画像処理装置を提供すること。【構成】筐体に表示部を設け、筐体側面部に複数のカードを装着可能な複数のカード用スロットを備え、前記カード用スロットに装着されたカードを動作制御できるようにした画像処理装置において、画像処理装置本体の電源がＯＮされると、表示部に第１のカード用スロット、第２のカード用スロット又はそれ以上スロットのある場合は第３以降のカード用スロットそれぞれに装着して使用できるカード種類を表示する構成とする。【選択図】　　　図１
2004007040.tif 000002
【特許請求の範囲】
【請求項１】
筐体に表示部を設け、筐体側面部に複数のカードを装着可能な複数のカード用スロットを備え、前記カード用スロットに装着されたカードを動作制御できるようにした画像処理装置において、
画像処理装置本体の電源がＯＮされると、表示部に第１のカード用スロット、第２のカード用スロット又はそれ以上スロットのある場合は第３以降のカード用スロットそれぞれに装着して使用できるカード種類を表示する構成としたことを特徴とする画像処理装置。
【請求項２】
筐体に表示部を設け、筐体側面部に複数のカードを装着可能な複数のカード用スロットを備え、前記カード用スロットに装着されたカードを動作制御できるようにした画像処理装置において、
画像処理装置本体の電源がＯＮされると、表示部に第１のカード用スロット、第２のカード用スロット又はそれ以上スロットのある場合は第３以降のカード用スロットそれぞれに装着して使用できるカード種類を表示し、表示されたカード種類のうちの１つが選択されると、選択された第１のカードを非選択カードとは異なる表示とし、第１のカードと関連が有り、第２のカード用スロット又はそれ以上スロットのある場合は第３以降のカード用スロットそれぞれに装着して同時に使用できるカード種類を非選択カードとは異なる表示とする構成としたことを特徴とする画像処理装置。
【請求項３】
筐体に表示部を設け、筐体側面部に複数のカードを装着可能な複数のカード用スロットを備え、前記カード用スロットに装着されたカードを動作制御できるようにした画像処理装置において、
画像処理装置本体の電源がＯＮされると、表示部に第１のカード用スロットに装着して使用できる第１のカード種類を表示し、表示されたカード種類のうちの１つが選択されると、第１のカードと関連が有り、第２のカード用スロット又はそれ以上スロットのある場合は第３以降のカード用スロットそれぞれに装着して同時に使用できるカード種類を表示部に表示する構成としたことを特徴とする画像処理装置。
【請求項４】
第１のカード用スロットに装着して使用できるカードとして選択された第１のカードと関連が有り、第２のカード用スロットに装着して同時に使用できる第２のカードが選択されると、選択された第１のカード及び第２のカードと関連が有り、第３以降のカード用スロットに装着して同時に使用できる第３以降のカード種類を表示部に表示する構成としたことを特徴とする請求項３記載の画像処理装置。
【請求項５】
前記カードには、被写体を撮影するための撮像光学系を含む撮像部と該撮像部により得られた被写体像の光電変換信号を画像信号に変換する信号処理回路とカード用スロットに接続可能なコネクタを具備するカメラカード、画像信号を記憶するメモリーとカード用スロットに接続可能なコネクタを具備するメモリーカード、無線電話機能とカード用スロットに接続可能なコネクタを具備する無線電話カード、ＧＰＳ機能とカード用スロットに接続可能なコネクタを具備するＧＰＳカード、地図データを記憶するメモリーとカード用スロットに接続可能なコネクタを具備する地図データカード、音楽データを記憶するメモリーとカード用スロットに接続可能なコネクタを具備する音楽データメモリーカード、画像加工プログラム等の各種プログラムを１プログラムずつインストールしたＬＳＩとカード用スロットに接続可能なコネクタを具備する各種プログラムカード、ＩＤ情報を記憶するメモリーとカード用スロットに接続可能なコネクタを具備するＩＤカード等を含み、その任意のカードが同時に装着可能であることを特徴とする請求項１，２又は３記載の画像処理装置。
【発明の詳細な説明】
【０００１】
【発明の属する技術分野】
本発明は、画像処理装置に係り、特に筐体側面部に複数のカード用スロットを備え、スロットに各種カードを装着して使用する画像処理装置に関する。
【０００２】
【従来の技術】
近年の画像処理装置は、撮像光学系を含む撮像装置、撮像装置により撮像された画像を記録再生する記録再生装置、画像情報を他に転送するための無線電話装置、位置情報を確認するＧＰＳ装置、或は画像を加工するための各種アプリケーション等を本体内に内蔵しているものがある。
【０００３】
画像処理装置の筐体側面にカード用スロットを備え、上記各装置や各種アプリケーションをカード状にして、カード用スロットに各種カードを装着して使用するものもある。
【０００４】
【発明が解決しようとする課題】
しかしながら、画像処理装置において上記各装置や各種アプリケーションを本体内に内蔵するには、筐体を大型化する必要があり持ち運びに不便であり、各装置や各種アプリケーションが多数本体内に内蔵されていると使いたい装置やアプリケーションを選択する必要があり、表示や操作が複雑になる。
【０００５】
画像処理装置の筐体側面部にカード用スロットを備え、上記各装置や各種アプリケーションをカード状にして、カード用スロットに各種カードを装着して使用するものにおいては、第１のカード用スロットに各装置や各種アプリケーション等のカードを装着しても、第１のカードと関連があり第２のカード用スロット、又はそれ以上スロットのある場合は第３のカード用スロットに装着して使用できるカードをユーザーがすぐには判断することができない。
本発明は上記問題に鑑みてなされたもので、その目的とする処は、機器の大型か、コストアップ、カードの種類の誤装着等を防ぐことができる画像処理装置を提供することにある。
【０００６】
【課題を解決するための手段】
上記目的を達成するため、本発明は、筐体に表示部を設け、筐体側面部に複数のカードを装着可能な複数のカード用スロットを備え、前記カード用スロットに装着されたカードを動作制御できるようにした画像処理装置において、画像処理装置本体の電源がＯＮされると、表示部に第１のカード用スロット、第２のカード用スロット又はそれ以上スロットのある場合は第３以降のカード用スロットそれぞれに装着して使用できるカード種類を表示する構成としたことを特徴とする。
【０００７】
【発明の実施の形態】
以下に本発明の実施の形態を添付図面に基づいて説明する。
【０００８】
＜実施の形態１＞
図１は本発明に係る画像処理装置のブロック図、図２は本発明に係る画像処理装置の斜視図である。
【０００９】
１は画像処理装置本体、２は画像処理装置本体１の筐体に配置された表示部、３は画像処理装置本体１の筐体側面部に配置された第１のカードを挿入するための第１のカード用スロット、４は画像処理装置本体１の筐体側面部に配置された第２のカードを挿入するための第２のカード用スロット、５は画像処理装置本体１の筐体側面部に配置された第３のカードを挿入するための第３のカード用スロット、６は第１のカード用スロット３に挿入される第１のカード（一例としてカメラカード）、７は第２のカード用スロット４に挿入される第２のカード（一例としてメモリード）、８は第３のカード用スロット５に挿入される第３のカード（一例として無線電話カード）、９は画像処理装置本体を制御する制御部、１０は画像処理装置本体１の電源をＯＮ／ＯＦＦするＳＷ、１１はカード種類の選択と操作系を操作するためのＳＷである。
【００１０】
図２では９，１１を省略する。
【００１１】
画像処理装置本体１の電源をＯＮ／ＯＦＦするＳＷ１０が操作され、画像処理装置本体１の電源がＯＮになると、画像処理装置本体を制御する制御部９は、表示部２に第１のカード用スロット、第２のカード用スロットそれぞれに装着して使用できるカード種類を表示する。又、それ以上スロットのある場合は、第１のカード用スロット、第２のカード用スロット及び第３以降のカード用スロットそれぞれに装着して使用できるカード種類を表示する。
【００１２】
図３のフローチャートは以上の諸動作のうち基本的な動作の手順を示したものである。
【００１３】
図４は表示部２に、第１のカード用スロット、第２のカード用スロット及び第３のカード用スロットそれぞれに装着して使用できるカード種類が表示されたところである。第１のカード６としてカメラカード、ＧＰＳカード、第２のカード７としてメモリーカード、地図データカード、第３のカード８として無線電話カード、ＩＤカードが表示されている。尚、カード種類の表示の仕方として図ではカードの名前を文字表示したが、アイコン表示等でも良い。
【００１４】
＜実施の形態２＞
次に、本発明の実施の形態２について説明する。
【００１５】
画像処理装置本体１の電源をＯＮ／ＯＦＦするＳＷ１０が操作され、画像処理装置本体１の電源がＯＮになると、画像処理装置本体を制御する制御部９は、表示部２に第１のカード用スロット、第２のカード用スロットそれぞれに装着して使用できるカード種類を表示する。
【００１６】
又、それ以上スロットのある場合は第１のカード用スロット、第２のカード用スロット及び第３以降のカード用スロットそれぞれに装着して使用できるカード種類を表示する。表示された第１のカード種類のうちの１つが選択されると、画像処理装置本体を制御する制御部９は、選択されたカード種類（ここでは、カメラカード）を非選択カード（ここでは、ＧＰＳカード）とは異なる表示とし、第２のカード用スロット、又はそれ以上スロットのある場合は第３以降のカード用スロットそれぞれに装着して使用するカードのうち、選択された第１のカード（ここでは、カメラカード）と関連があり、同時に使用できるカード種類（ここでは、メモリーカード、無線電話カード、ＩＤカード）を、選択された第１のカードと関連がなく同時に使用できないカード（ここでは、地図データカード）とは異なる表示とする。
【００１７】
図５のフローチャートは以上の諸動作のうち基本的な動作の手順を示したものである。
【００１８】
図６は画像処理装置本体１の表示部２に、第１のカード用スロット３に装着して使用できる第１のカード６としてカメラカードが選択され、非選択カードとは異なるハイライト表示され、第２のカード用スロット４及び第３以降のカード用スロット５に装着して同時に使用できる第２のカード７としてメモリーカード、第３のカード８として無線電話カード、ＩＤカードが、選択されたカメラカードと関連がなく同時に使用できない地図データカードとは異なるハイライト表示されたところである。
【００１９】
カード種類の選択は図では表示部２に設置されたタッチパネルＳＷの操作により行うが、表示部の近傍に配置され表示されたカード種類と一対になったＳＷ、十字ＳＷ、回転ＳＷ等の操作でも可能である。
【００２０】
非選択カードとは異なる表示、選択されたカードと関連がなく同時に使用できないカードとは異なる表示の方法として図ではハイライト表示としたが、表示の色を変える、表示の大きさを変える、非選択カードの表示を消す等、様々な方法で可能である。
【００２１】
＜実施の形態３＞
次に、本発明の実施の形態３について説明する。
【００２２】
画像処理装置本体１の電源をＯＮ／ＯＦＦするＳＷ１０が操作され、画像処理装置本体１の電源がＯＮになると、画像処理装置本体を制御する制御部９は、表示部２に第１のカード用スロット３に装着して使用できるカード種類を表示する。表示されたカード種類のうちの１つが選択されると、画像処理装置本体を制御する制御部９は、選択された第１のカード６と関連が有り、第２のカード用スロット４に装着して同時に使用できるカード種類を表示部２に表示する。
【００２３】
又、第３以降のスロットがある場合は、第２のカード用スロット４及び第３以降のカード用スロット５に装着して同時に使用できるカード種類を表示部２に表示する。
【００２４】
図７のフローチャートは以上の諸動作のうち基本的な動作の手順を示したものである。
【００２５】
図８は表示部２に、第１のカード用スロットに装着して使用できる第１のカード６としてカメラカード、ＧＰＳカードが表示されたところである。
【００２６】
図９は第１のカード用スロット３に装着して使用できる第１のカード６としてカメラカードが選択され、表示部２に第２のカード用スロット４及び第３のカード用スロット５に装着して同時に使用できる第２のカード７及び第３のカード８としてメモリーカード、無線電話カード、ＩＤカードが表示されたところである。
【００２７】
＜実施の形態４＞
次に、本発明の実施の形態４について説明する。
【００２８】
画像処理装置本体１の電源をＯＮ／ＯＦＦするＳＷ１０が操作され、画像処理装置本体１の電源がＯＮになると、画像処理装置本体を制御する制御部９は、表示部２に第１のカード用スロット３に装着して使用できるカード種類を表示する。表示されたカード種類のうちの１つが選択されると、画像処理装置本体を制御する制御部９は、選択された第１のカード６と関連が有り、第２のカード用スロット４及び第３以降のカード用スロット５に装着して同時に使用できるカード種類を表示部２に表示する。
【００２９】
表示された第２のカード種類のうちの１つが選択されると、画像処理装置本体を制御する制御部９は、選択された第１のカード６及び第２のカード７と関連が有り、第３以降のカード用スロット５に装着して同時に使用できるカード種類を表示部２に表示する。
【００３０】
図１０のフローチャートは以上の諸動作のうち基本的な動作の手順を示したものである。
【００３１】
図１１は図８で表示部に表示されたカメラカード、ＧＰＳカードのうち、第１のカード６としてカメラカードが選択された後の表示部２の表示状態であり、第２のカード用スロット４に装着して同時に使用できる第２のカード７としてメモリーカード、無線電話カード、ＩＤカードが表示されたところである。
【００３２】
図１２は図１１で表示部に表示されたメモリーカード、無線電話カード、ＩＤカードのうち、第２のカード７としてメモリーカードが選択された後の表示部２の表示状態であり、第３のカード用スロット５に装着して同時に使用できる第３のカード８として無線電話カード、ＩＤカードが表示されたところである。
【００３３】
【発明の効果】
以上の説明で明らかなように、本発明によれば、筐体に表示部を設け、筐体側面部に複数のカードを装着可能な複数のカード用スロットを備え、前記カード用スロットに装着されたカードを動作制御できるようにした画像処理装置において、画像処理装置を小型化でき、必要なカードのみを装着すれば良く、持ち運び性に優れるる。筐体の表示部に第１のカード用スロット、第２のカード用スロット又はそれ以上スロットのある場合は第３以降のカード用スロットそれぞれに装着して使用できるカード種類を表示するため、第１のカード用スロット、第２のカード用スロット或は第３のカード用スロットに装着して使用できるカードをユーザーが間違えることがない。
【図面の簡単な説明】
【図１】本発明に係る画像処理装置のブロック図である。
【図２】本発明に係る画像処理装置の斜視図である。
【図３】本発明に係る画像処理装置の諸動作のうち基本的な動作の手順を示したフローチャートである。
【図４】本発明に係る画像処理装置の表示部の表示状態を示す図である。
【図５】第２の発明に係る画像処理装置の諸動作のうち基本的な動作の手順を示したフローチャートである。
【図６】第２の発明に係る画像処理装置の表示部の表示状態を示す図である。
【図７】第３の発明に係る画像処理装置の諸動作のうち基本的な動作の手順を示したフローチャートである。
【図８】第３の発明に係る画像処理装置の表示部の表示状態１を示す図である。
【図９】第３の発明に係る画像処理装置の表示部の表示状態２を示す図である。
【図１０】第４の発明に係る画像処理装置の諸動作のうち基本的な動作の手順を示したフローチャートである。
【図１１】第４の発明に係る画像処理装置の表示部の表示状態１を示す図である。
【図１２】第４の発明に係る画像処理装置の表示部の表示状態２を示す図である。
【符号の説明】
１　　画像処理装置本体
２　　表示部
３　　第１のカード用スロット
４　　第２のカード用スロット
５　　第３のカード用スロット
６　　第１のカード
７　　第２のカード
８　　第３のカード
９　　制御部
１０　　ＳＷ
１１　　ＳＷ
【図１】
2004007040.tif 000003
【図２】
2004007040.tif 000004
【図３】
2004007040.tif 000005
【図４】
2004007040.tif 000006
【図５】
2004007040.tif 000007
【図６】
2004007040.tif 000008
【図７】
2004007040.tif 000009
【図８】
2004007040.tif 000010
【図９】
2004007040.tif 000011
【図１０】
2004007040.tif 000012
【図１１】
2004007040.tif 000013
【図１２】
2004007040.tif 000014